Podtech/llm-jp-corpus-v4-ja_patent huggingface dataset:
(57)【要約】【課題】今迄の駆除方法は他の動植物や環境に悪影響を与へたり、広域の場合は多大の費用を要した。【解決手段】目的動植物のゲノムを解読する事に依り、ＤＮＡのどこを組み換へたらもつとも効果的に繁殖を防止できるか、後は彼等の生殖行動に期待する。【選択図】無し【特許請求の範囲】
【請求項１】
駆除したい動植物のゲノムを解読して、雌が生れない様に、又は子孫を残せない様に遺伝子を組み換えして、雄のみが生れる様にする。生れた雄は、雌を追って四散して交尾するが、雌が生れない遺伝子を持っているので、段々雌が少くなりついには根絶する。
例えば、蚊、ゴキブリ、鬼ひとで、越前クラゲ等々、環境や他の生態系に悪影響を与ること無く、目的物だけを狙い撃ちにするので有効である。此の様にゲノムを解読して、遺伝子組み換え、又は削除することに依り雄だけ生れる様にして特定の種だけ、絶滅又は間引く方法。
【発明の詳細な説明】
【技術分野】
【０００１】本発明は人間に害の有る生物の間引に関するカイドラインである。
【背景技術】
【０００２】  殺虫剤や捕獲に依り、被害を防いできた。又アイソトープに依り不妊虫を作り根絶した例もあるが、広域に渡るので莫大な費用がかかった。
【発明の開示】
【発明が解決しようとする課題】
【０００３】  広域に渡る劾動植物は自己の繁殖行動に依り、人間の気付かない奥地迄、雄のみの此の遺伝子を拡散してゆくので究めて効果が大きい。
【課題を解決するための手段】
【０００４】  地域毎に劾動植物の遺伝子組換えをしてやれば、後は其々の生殖行動に依り、自滅する。
【発明の課題】
【０００５】  目的動植物のゲノムを解読して、雄だけ生れる最も有効な位置の遺伝子を組み換える。又は子孫を残せないようなＤＮＡの組み換えをする。
【産業上の利用可能性】
【０００６】  上述した様に本発明の遺伝子組み換えに依り、産業上は元より人類生活上多大な福音を齎らすことが出來る。
(57)【要約】【課題】従来の豆乳製造方法は豆腐製造に準じ製造されますが原料である豆自体の乾燥方法が天火乾燥、熱乾燥といった方法から栄養素破壊、乾燥処理時間が長い問題があった。又、おから発生から産業廃棄物処理面から公害、処理経費負担増等の問題も大きな課題である。【解決手段】本発明の真空凍結乾燥による豆原料の乾燥処理は熱を使わず、短時間で乾燥処理が出来るところから栄養成分の保持、又、短時間処理による稼動効率の向上、粉末化による廃棄物除去等が大きな課題解決となりうる。【特許請求の範囲】
【請求項１】
本発明は、本来の黒豆、青豆、枝豆他豆類の含有成分を破壊しない状態を目的とし、真空凍結乾燥豆を従来の豆腐原料製造同様に製造する目的である。
【請求項２】
又、真空凍結乾燥豆から粉砕微粒子製粉する事で粉状態からの豆乳製造も可能になり、豆の表皮も本来はおからとして産業廃棄物として処理されていたものが丸ごと大豆粉末化から栄養素の高い、豆乳が作り出し、廃棄物は発生しない利点を含む製造法である。
【発明の詳細な説明】
【技術分野】
【０００１】  本発明は真空凍結乾燥処理した豆類と粉末化した原料で作られる豆乳。
【背景技術】
【０００２】  現在の多くの豆乳製造としては豆収穫後の処理としては天火乾燥、熱乾燥等が主流となり、生豆から乾燥豆の処理の段階で栄養成分であるポリフェノール類、たんぱく質等が熱による破壊、減含有されている。又、豆乳製造段階で表皮の部分がおからとして産業廃棄物として問題の事が挙げられる。
【発明の開示】
【発明が解決しようとする課題】
【０００３】  上述した問題点である、栄養成分の破壊、産業廃棄物発生等の解決を目的とした処理方法である。
【課題を解決するための手段】
【０００４】  豆乳を作る原料とした豆類に関し、収穫直後に真空凍結乾燥処理を行う方法である。【０００５】  豆乳を作る原料とした豆類に関し、収穫直後に真空凍結乾燥処理を行い、粉砕製粉処理する方法である。
【発明の効果】
【０００６】  豆乳製造豆原料を真空凍結乾燥処理する事は豆自体に含まれる栄養成分を破壊せず、乾燥時間を短縮し作業効率を上げる事が出来る。【０００７】  真空凍結乾燥後の粉砕粉末化にする事から従来、おからとして廃棄物とされていた処理がなく、丸ごと商品化が可能で栄養素の高い豆乳が出来る。
【発明の実施するための最良の形態】
【０００８】  豆乳を作る原料とした豆類に関し、収穫後に−１０度程度で補助冷凍します。
【０００９】  次に真空凍結トレーに６Ｋｇ〜７Ｋｇ毎入れ、−３０度程度で５時間真空冷凍状態で乾燥します。豆成分と繊維質だけを残し、水分は取り除きます。
【０００１０】  豆乳製造としては従来の方法のように豆原料を１日水に浸し、豆腐原料として豆乳が作られます。又、真空凍結乾燥後に粉砕、製粉した原料は熱湯８０度〜１２０度で豆乳成分に変わり、丸ごと豆乳を作る事が出来ます。
(57)【要約】【課題】果実及び果実の二次加工で廃棄されていた剥き皮及び外皮及びカット野菜加工で廃棄されていたへた等を利用することにより、白一色の豆腐に色彩をつけるとともに、果実、果実の剥き皮、外皮及び野菜に含まれる栄養素を付加し、デザート感覚で食することの出来る果実入りの豆腐及び厚揚げ。【解決手段】果実及び果実の二次加工で出る剥き皮、外皮及び野菜のへた等を真空冷凍乾燥機にて乾燥した後、製粉機で粉末にし豆腐製造工程で添加することによって、栄養価、香り、色彩、風味を高めたものをデザート感覚で提供する。【特許請求の範囲】
【請求項１】
果実を真空冷凍乾燥機で乾燥させた後、製粉機に掛け粉末にし、別途製造しておいた豆乳に混ぜ合わせ、その豆乳に凝固剤を添加して豆乳を凝固させて形成される、前記諸成分が混合一体となったことを特徴とする豆腐及びその製造方法。
【請求項２】
請求項１記載の粉末が果実の剥き皮、外皮である、請求項１の記載に基づいて形成されることを特徴とする豆腐及びその製造方法。
【請求項３】
請求項１記載の粉末がカット野菜の加工時に出るへたである、請求項１の記載に基づいて形成されることを特徴とする豆腐及びその製造方法。
【請求項４】
請求項１，２，３記載の粉末をブレンドし新たな味、色を作り出し添加することにより形成されることを特徴とする豆腐及びその製造方法。
【請求項５】
請求項１，２，３の記載に基づいて形成された豆腐を丸、三角、四角、ハート型に切り、所定温度に加熱された食用油で揚げてなることを特徴とする厚揚げ及びその製造方法。
【請求項６】
請求項１で記載した粉末を別途製造しておいた豆乳に混ぜ合わせ、その豆乳に凝固剤を添加して、丸、三角、四角、ハート型の一定の厚みと底板を設けた型に流し込み豆乳を凝固させ形成する豆腐及びその製造方法。
【発明の詳細な説明】
【技術分野】
【０００１】  果実及び果実の二次加工で廃棄されていた剥き皮及び外皮及びカット野菜加工で廃棄されていたへた等を利用することにより、白一色の豆腐に色彩をつけるとともに、果実、剥き皮及び外皮及び野菜に含まれる栄養素、風味、香り、色を付加し、デザート感覚で食することの出来る真空冷凍乾燥パウダー入りの豆腐及び油揚げに関するものである。
【背景技術】
【０００２】  従来の豆腐及び厚揚げは玉子豆腐や出願番号特願２００１−１６５８２７に見られるようなゴマ豆腐が知られているが添加物のエキスであったり、添加物がそのままの形状で入れられたりしていたため豆腐全体に色づけや味付けが十分でなかった。また、豆乳に凝固剤を添加して型に流し込みさまざまな豆腐の形状を形成させることは出来なかった。
【発明の開示】
【発明が解決しようとする課題】
【０００３】  従来の豆腐製造工程で添加物のエキスや添加物をそのままも形状で入れると豆腐全体に均一な色づけや味付けが出来ないことは勿論、型に流し込み加工する際に固形物などが偏ったりする。また、厚揚げ加工する際に添加物が油やけを起こすなど美味しく、綺麗に作ることが出来ないという問題がある。
【課題を解決するための手段】
【０００４】  本加工は原料作物を真空冷凍乾燥し、豆腐、厚揚げ製造過程で粉末添加物として使用することから解決しえる製造方法である。
【発明の効果】
【０００５】    本加工は原料成分の栄養素、風味、色合い等の品質を維持し、豆腐製造工程で添加するだけで簡単に栄養価の高い、風味、色彩ある豆腐及び厚揚げを作ることを目的とする。【０００６】  本発明により、栄養ある、香り高い、色合いの良い、果実、野菜入り豆腐及び厚揚げを豆腐嫌いな人に喜んで食することが出来るようになる。また、デザート感覚で手軽に食することが出来る。【０００７】  果実及び果実の二次加工で廃棄されていた剥き皮及び外皮及びカット野菜加工で廃棄されていたへた等を真空冷凍乾燥機で乾燥させた後、製粉機で乾燥粉末にすることでこれらが持つ栄養素、香り、色合い、風味を１００％生かすことが出来る。【０００８】  上記加工方法で製造された粉末を豆乳に味、香り、色合い、風味良く仕上がる程度に入れ攪拌し、その豆乳に凝固剤を添加し豆乳を凝固させて形成させる、前記諸成分を混合一体させることにより提供できる。【０００９】  上記加工方法で丸、三角、四角、ハート型などの底板を設けた型枠に流し込み豆乳を凝固させて異型の豆腐を提供できる。
【発明の実施するための最良の形態】
【０００１０】  本発明は、果実及び果実の剥き皮及び外皮、野菜のへた等をそぞぞれ適当な大きさにし、真空冷凍乾燥機に設けられたトレーに入れ冷凍温度−２５℃〜−３５℃、真空度１０−３ＴＯＲＲ〜１０−４ＴＯＲＲ、乾燥時間５〜６時間かけて乾燥させる。これら乾燥されたものを製粉機にて粉末にしたものを別途製しておいた豆乳に加え攪拌し、豆乳に凝固剤を添加し豆乳を凝固させて形成せれる、前記書生分が混合一体になった豆腐、及びその豆腐を加工してなる厚揚げである。
【０００１１】  本発明を実施するに当たっては、真空冷凍乾燥に適した果実、野菜類を準備する。それら準備された具材に適当な冷凍温度、真空度、乾燥時間を設け乾燥させる。乾燥された具材を製粉機にかけ粉末にし、添加物とする。添加物を一種類にするか混合させて新たな味、香り、色彩、風味を作って用いても良い。
【０００１２】  以下、マンゴ入り豆腐３０丁分の製造方法について説明する。豆乳１０，０００ｇ、マンゴ２個用意する。マンゴは適当な大きさにカットし、真空冷凍乾燥機に入れ冷凍温度−３０℃、真空度１０−３、乾燥時間６時間で乾燥させ、乾燥マンゴを製粉機にかけ粉末にする。その粉末を別途製した豆乳が６５℃になったところで加え攪拌混合する。次に適量のにがり、凝固剤を入れ、すばやく攪拌混合する。混じりあったところで攪拌渦をとめ、型箱に入れ２０〜３０分間常温で静置する。この工程後水槽に入れ３０分間冷水桶に静置する。
【０００１３】  厚揚げは、前工程で製造された豆腐の水抜きを行う。豆腐を適当な大きさに切り分ける。約１７０〜１８０℃に加熱した食用油で少量ずつ約４分３０秒〜５分間素揚げする。油切りを十分行う。
(57)【要約】【課題】人工的に製造したワームは各片の形状が均一であるとともに、水中での動きが画一的なものとなり、動きが不自然であり、魚に違和感を与えて食いつきを悪くしていた。魚のいる層に長く留まり自然な動きを付与するとともに魚が食いつきを良くする釣り用ルアーを提供することを目的とする。【解決手段】軟質プラスチックを成型してなるルアー本体と、当該ルアー本体内部に延曲可能な針金を内蔵し、当該ルアーは、延曲可能な針金を延曲することでワームの形を自在に変える、また当該ルアーは、延曲可能な針金を延曲することでワームの形を実物に似せる。【選択図】図１
2006149328.tif 000002
【特許請求の範囲】
【請求項１】
軟質プラスチックを成型してなるルアー本体と、当該ルアー本体内部に延曲可能な針金を内蔵したことを特徴とする釣り用ルアー。
【請求項２】
請求項１記載の釣り用ルアーは延曲可能な針金を延曲することでワームの形を自在に変えることを特徴とする釣り用ルアー。
【請求項３】
請求項１記載の釣り用ルアーは延曲可能な針金を延曲することでワームの形を実物に似せることを特徴とする釣り用ルアー。
【発明の詳細な説明】
【技術分野】
【０００１】
本発明は釣り用ルアーに関し、特に、軟質性プラスチック樹脂でなるワーム内部に針金を内蔵した釣り用ルアーに関する。
【背景技術】
【０００２】
従来、ルアーフィッシングにおいて各種の疑似餌が用いられており、ワームはその形や大きさも多様に存在し実用に供せられている。
【特許文献１】特開２００４−２１５６３５号公報
【発明の開示】
【発明が解決しようとする課題】
【０００３】
人工的に製造したワームは、水中での動きが画一的なものとなり、動きが不自然であり、魚に違和感を与えて食いつきを悪くしていた、魚のいる層に長く留まり自然な動きを付与するとともに魚が食いつきを良くする釣り用ルアーを提供することを目的とする。
【課題を解決するための手段】
【０００４】
本発明は、上記目的を達成するため、請求項１記載の発明は、軟質プラスチックを成型してなるルアー本体と、当該ルアー本体内部に延曲可能な針金を内蔵したことを特徴とする。
【０００５】
また、請求項２記載の発明は、請求項１記載の釣り用ルアーは、延曲可能な針金を延曲することでワームの形を自在に変えることを特徴とする。
【０００６】
また、請求項３記載の発明は、請求項１記載の釣り用ルアーは、延曲可能な針金を延曲することでワームの形を実物に似せることを特徴とする。
【発明の効果】
【０００７】
本発明の請求項１記載の発明によれば、軟質プラスチックを成型してなるルアー本体と、当該ルアー本体内部に延曲可能な針金を内蔵した、また本発明の請求項２記載の発明によれば、延曲可能な針金を延曲することでワームの形を自在に変えた、また本発明の請求項３記載の発明によれば、延曲可能な針金を延曲することでワームの形を実物に似せた。
【０００８】
よって、ワームに浮力を付与し、ワームの水抵抗を大きくし、投げ入れたワームがゆっくり沈むようになり、軟質プラスチック樹脂からなるワームのより自然な動きにするという効果が得られ魚の食いつきがよくなる。
【発明を実施するための最良の形態】
【０００９】
ワームの中に針金を通し、ワームの形を自在に変化させることで実現した。
【実施例１】
【００１０】
以下に実施例を挙げ、本発明の釣り用ルアーについて、図面を参照して詳細に説明する。
【００１１】
硬質プラスチックで成型した釣り用ルアーでは、固体であるため水の中では泳いでいるように見えない、そのため通常は軟質プラスチックを使用する。
【００１２】
ワームに浮力を付与し、ワームの水抵抗を大きくしたりすると、投げ入れたワームがゆっくり沈むようになり軟質プラスチック樹脂は、ワームの動きを硬質プラスチックより自然にするという効果が得られるが、軟質なために釣り糸を引いたとき本来のザリガニの姿を崩してしまうという問題があった。
【００１３】
本発明は軟質プラスチック樹脂の欠点である軟質なために擬似餌の本来の姿を崩してしまうという問題を解決するものである。
【００１４】
図1は、この発明に係わる釣り用ルアーの実施例の一つの透視図である。
【００１５】
図1において、釣り用ルアーの実施例の一つとしてワームは模造ザリガニの釣り用ルアー１において詳しく説明する。前記、ワームの模造ザリガニの釣り用ルアー１は模造頭胸部２と模造尻尾部３で二分される。
【００１６】
模造頭胸部２には二本のａ模造挟み４とｂ模造挟み５及び模造脚６で構成されている。また模造尻尾部３は模造尻尾７と模造尾扇８で構成されている。
【００１７】
模造ザリガニを軟質プラスチックのみで成型した状態では、水のなかで釣り糸を引くと模造頭胸部２の二本のａ模造挟み４とｂ模造挟み５及び模造脚６は、水流や水圧によって押されて模造ザリガニの胴体側に流され、水流や水圧が強い場合はａ模造挟み４とｂ模造挟み５及び模造脚６は胴体側に張り付き、ザリガニの本来の姿に見えず擬似餌としての効果がなくなる。
【００１８】
本来ザリガニの姿は図1に示すように、二本の鋏を頭の前部にかざし、脚は胴体下部に曲げて伸ばし、尻尾は少し内側に曲げた状態である。
【００１９】
本発明は模造ザリガニの釣り用ルアー１の内部に延曲可能な針金９を模造頭胸部２の二本のａ模造挟み４とｂ模造挟み５や模造脚６や模造尻尾部３の模造尻尾７や模造尾扇８に内蔵し成型するものである。
【００２０】
内蔵した延曲可能な針金９によって、本来のザリガニの姿である二本の鋏を頭の前部にかざし、脚は胴体下部に曲げて伸ばし、模造尻尾部は少し内部に曲げた姿に人の手によって簡単に加工出来る。針金９で延曲して姿を加工しため、水のなかで釣り糸を引いても水流や水圧が強い場合でも、模造ザリガニは二本の鋏を頭の前部にかざし、脚は胴体下部に曲げて伸ばし、模造尻尾部は少し内部に曲げた姿で水中を移動するため擬似餌の効果を損なうことがない。
【００２１】
ルアーの泳ぎ方などを釣り場の状況に合わせてワームを自分で考えた形に変化させることで釣果が期待できる。
【００２２】
次に釣り針１０は模造ザリガニの釣り用ルアー１の模造尻尾7と模造尾扇８の間に挿着する。
【００２３】
前記、釣り針１０の一端は釣り糸１１で繋着されている。釣り糸１１は模造ザリガニの釣り用ルアー１の模造頭胸部２の先端から模造尻尾部３の末端まで導管１２の中を挿通する。釣り糸１１は模造ザリガニの釣り用ルアー１の模造頭胸部２の先端の固着されたジグ１３を貫通することで模造ザリガニの釣り用ルアー１は固着されたジグ１３の前方に移動することはない。
【産業上の利用可能性】
【００２４】
本発明はルアーフィッシングの疑似餌に適用できる。
【図面の簡単な説明】
【００２５】
【図１】この発明に係わる釣り用ルアーの実施例の一つの透視図である。
【符号の説明】
【００２６】
１    模造ザリガニの釣り用ルアー
２    模造頭胸部
３    模造尻尾部
４    ａ模造挟み
５    ｂ模造挟み
６    模造脚
７    模造尻尾
８    模造尾扇
９    針金
１０  釣り針
１１  釣り糸
１２  導管
１３  ジグ
【図１】
2006149328.tif 000003
(57)【要約】【課題】従来の豆腐製造については浸し作業に関しては真水浸積工程が今も主流で栄養分を添加配合した浸積方法はあまりとられておらず、深層水についても原水をそのまま使用しているケースがあります。本来の豊富な原水に含まれるミネラル成分を高濃度成分にを高めるには出来ない製法でした。【解決手段】海洋深層水を真空冷凍乾燥粉末に加工すると浸し作業工程際に真水と粉末添加割合が自由に調整可能になり濃度割合も調整がし易く、原料大豆に浸積される成分も栄養素の高い豆腐を作る事が出来ます。【特許請求の範囲】
【請求項１】
海洋深層水のＲＯ濃縮海水を電気透析処理後、真空冷凍乾燥粉末にし、豆腐原料の大豆、豆類の浸積加工段階において粉末を浸す水に稀薄し原料大豆、豆類に海洋深層水栄養塩、ミネラル成分を含浸浸積させ、その大豆、豆類で豆腐原料として使用する製造方法。
【発明の詳細な説明】
【技術分野】
【０００１】  海洋深層水に含まれる豊富なミネラル成分を真空冷凍乾燥状態から粉末化にし、大豆の浸積工程で水に溶解する事から本来の海洋深層水成分が、大豆、豆類の吸水の際に栄養素ミネラルが含浸され、その原料から豆腐を作る方法である。
【背景技術】
【０００２】  従来の海洋深層水を利用した豆腐製造については豆腐原料である大豆を浸積工程にて原水、もしくは電気透析処理された海水を利用したものである。
【発明の開示】
【発明が解決しようとする課題】
【０００３】  従来の深層水原水利用方法は海水の運搬と保管の面で多大なコストと管理スペースを要した。
【課題を解決するための手段】
【０００４】  本加工は海水、及び電気透析処理後の海水を真空冷凍乾燥粉末にし、浸し水に稀薄して使用する製造方法である。
【発明の効果】
【０００５】  本加工は海水の輸送費負担を削減できる目的とする。【０００６】  本加工は海水の保管場所を大きく必要とせず、保管場所の縮小につながり、作業場の省力化が可能である。【０００７】  大きな特徴としては海水、原水等はおおよそ要冷状態で２週間程度で雑菌が繁殖し長期備蓄は難しい、反対に真空冷凍乾燥粉末は２年間備蓄が可能で衛生的にも管理がし易く、又、制限水量容器内では濃度調整も手軽に出来る。
【発明の実施するための最良の形態】
【０００８】  本発明は、海洋深層水を電気透析ＲＯ濃縮海水に処理化し、真空室で−３０度凍結乾燥を行い、７時間程度の処理時間を要し栄養塩分とミネラル成分の結晶採取を行います。結晶は製粉機で微粒粉末化にし、シリカゲル剤でアルミ充填します。
【０００９】  豆腐原料となる大豆、豆類は洗浄後、浸し水１Ｌに対し冷凍粉末成分ナトリューム２８００００ｍｇ／ｋｇ・カリウム１４０００ｍｇ／ｋｇ・マグネシューム９９００ｍｇ／ｋｇ・カルシューム３３０００ｍｇ／ｋｇを５ｇの比率で稀薄し浸水として大豆を１昼夜浸します。
【０００１０】  豆腐製造過程は従来方式で豆腐原料を作り、豆腐、厚揚げ等に商品とします。
【０００１１】  又、豆腐含浸積成分は水と粉末の比率を調整しながら多種多様に作ることが出来き、これは真空冷凍乾燥粉末であることから濃度調整が可能になります。
(57)【要約】【課題】過度の曲がり負荷時に釣り竿の竿先が折れたり、破損したりするような不都合を解決し、また、竿先が折れた釣り竿を再利用できるようにする。【解決手段】釣り竿の特に折れ破損しやすい竿先の芯材にゴム、シリコンなどの弾性のある素材をコーティングし、過度の曲がりによる破損を防止することにより不都合を解決する。また着脱可能であるので竿先が折れた竿に装着し、竿を再利用することもできる。【選択図】図１
2006149358.tif 000002
【特許請求の範囲】
【請求項１】
釣り竿の芯材にゴム、シリコンなどの弾力のある素材をコーティングし、竿先が極端に折れ曲がっても破損しない釣り竿。
【請求項２】
請求項１の釣り竿の竿先のみを着脱可能にしたもの。
【発明の詳細な説明】
【技術分野】
【０００１】本発明は、釣り竿に関するものであり、釣り竿の先端部分の芯材にゴム、シリコンなどの弾性のある素材をコーティングし、折れ曲がりや何らかの衝撃による破損の耐性を向上させると同時に、一般に使用されているグラスファイバー製やカーボンファイバー製の釣り竿と同様の使用感を提供できるよう工夫されており、また竿先が破損してしまった竿を再利用できるようにしたものである。
【背景技術】
【０００２】従来、釣り竿と言えば古くは竹、最近ではグラスファイバー、カーボンファイバー製などがあり、竿を手で持つ部分が太く竿先は細くなっているのが一般的で、細い竿先が何らかの原因によって、ほぼ直角に折れ曲がった場合はそのほとんどが破損してしまうというのが現状です。
【発明の開示】
【発明が解決しようとする課題】
【０００３】従来のような釣り竿は竿先が細い場合、図４の▲５▼のように極端に折れ曲がったときに破損する事が多く、特に竿先の直径が１ｍｍ程の竿では保管上のちょっとした不注意による破損、大きな魚を釣り上げた場合や、またはリールの巻き上げすぎによる竿の折れ曲がりなどによって破損する場合が頻繁にあります。このような不意の破損という不都合を解決すると同時に、竿先が破損してしまった釣り竿を簡単に再利用できることを課題とする。
【課題を解決するための手段】
【０００４】この課題を解決するための請求項１の発明は、竿先の芯材にゴム、シリコンなどの弾性のある素材をコーティングし、図４の▲６▼のように折れ曲がりに強い竿先を作ることによって不都合を解決しようとするものである。また請求項２においては請求項１の発明が着脱可能な形状をしており、従来の破損した竿に装着することにより、竿の再利用という課題を解決しようとするものである。
【発明の効果】
【０００５】本発明により、竿先が極端に細い竿の場合でも、折れ曲がりなどによって破損するという不都合がおきず、竿の保管上において特に気をつかう必要は無くなると同時に利用者にとって非常に経済的な効果が期待できる。また請求項２においては着脱可能な形状をしている為、竿先の堅さ、長さなどを調節して交換することができ、従来の破損したグラスファイバー製の竿の再利用促進にもつながる。
【発明を実施するための最良の形態】
【０００６】図１は竿先にゴム、シリコンなどの弾性のある素材でコーティングを施した芯材を用いていることを特徴としている。芯材は、らせん状のバネを用いるのが最良であるが、極端に折り曲げたときに破損せず、元の形に戻る物であれば芯材として使用できる。心材にバネを使用した場合、竿先を強く引っ張ることによりバネが伸ばされ、長さを調節することができる。またコーティングをせずに芯材のみで使用する場合や、弾性のある素材のみで本体を構成する場合もある。【０００７】図２は請求項１の発明を着脱可能にしたことを特徴としており、使用者の好みに応じて、堅さ、長さなどを調節できる。また従来の竿の竿先が折れた場合、折れた竿先の代わりに装着することによって竿の再利用ができる。【０００８】図３は請求項１の発明を用い、釣り糸は、本体の中を通すようにしたことを特徴としている。
【産業上の利用可能性】
【０００９】本発明による釣り竿は従来の破損しやすいものと違い、製品寿命が長く、また破損した釣り竿を再利用でき、不要なグラスファイバーなどの廃棄物減少にも役立つので産業上の利用可能性を有する。
【図面の簡単な説明】
【００１０】
【図１】請求項１の発明の部分断面図である。
【図２】請求項１の発明を着脱可能にした物である。
【図３】釣り糸が本体の中を通すようになっており、図２と同様に着脱可能なことを特徴とする。
【図４】従来の竿先と請求項１の発明による竿先との折れ曲がり時の比較図。
【符号の説明】
【００１１】▲１▼  本体                ▲２▼  芯材とするらせん状のバネ
▲３▼  ゴム、シリコンなどの弾性のある素材
▲４▼  釣り糸              ▲５▼  従来の釣り竿に過度の曲がり負荷をかけた状態
▲６▼  請求項１の発明に曲がり負荷をかけた状態
【図１】
2006149358.tif 000003
【図２】
2006149358.tif 000004
【図３】
2006149358.tif 000005
【図４】
2006149358.tif 000006
(57)【要約】【課題】    米穀類の炊飯の炊き上がりの良し悪しは、炊飯前と炊飯時との水温差が大きいほど、米穀類がひきしまって美味しく炊き上がるため、炊飯釜の中に氷を投入していたが、その氷の体積分の水を取除く必要が生じそれを忘れたり又、水量測りも微妙な為、炊き上がりに不具合が生じることが多かった。【解決手段】したがって、耐熱性のある固形容器に水溶液又は保冷材等を密閉注入し、冷凍して繰返し使用できるようにして、それを米穀類の炊飯前に炊飯釜の中に投入できるようにした。【選択図】      図２
2006149355.tif 000002
【特許請求の範囲】
【請求項１】
耐熱性のある固形容器に水溶液又は保冷材等を蜜閉注入し、冷凍して繰返し使用できるようにした、炊飯時の氷代用具。
【発明の詳細な説明】
【技術分野】
【０００１】本発明は、米穀類の炊飯の炊き上り向上の為に発案されたもので、耐熱性のある固形容器に、水溶液又は保冷材等を注入し、それを密閉したものを冷凍し繰返し使用できるようにし、米穀類の炊飯前に炊飯釜の中に投入して、水の温度を冷却しておくことによって、炊飯前と炊飯時との大きな温度差が生じて米穀類がひきしまって、美味しく炊き上がるようにしたものである。
【背景技術】
【０００２】従来、米穀類の炊飯の炊き上り具合は、炊飯前と炊飯時との、温度差が大きいほど美味しく炊き上り、炊飯釜の中に直接氷を投入したり、水とぎしした後、釜ごと冷蔵庫に入れておくなど、手間がかかった。
【発明の開示】
【発明が解決しようとする課題】
【０００３】たとえば、米穀類の炊飯前に氷を投入すれば良いが、当然その氷の体積分の水を取り除く必要が生じ又、氷の体積分の水量測りも困難で、炊き上がりに不具合が生じることが多々あった。
【課題を解決する為の手段】
【０００４】したがって、耐熱性のある固形容器に水溶液又は保冷材等を注入し、それを密閉したものを冷凍し、繰返し使用できるようにして、それを米穀類の炊飯前に炊飯釜の中に投入する。
【発明の効果】
【０００５】  このように、米穀類の炊飯前に、冷凍したこの炊飯時氷代用具を炊飯釜に投入するだけで、炊飯前と炊飯時との大きな水温差が生じ又、水を取り除く作業も不要となる。
【実施例】
【０００６】本発明は、米穀類の炊飯時の炊き上がりを、より良く簡単に向上出来るように発案されたもので、それを図面について説明すれば、耐熱性のある固形容器２に、水溶液又は保冷材等３を注入し、例えば図１の様に密閉したものを冷凍し、それを炊飯前の炊飯釜の中に投入する、尚、１は冷凍した際に生じる内部の膨張を考慮した空洞部である。
【産業上の利用可能性】
【０００７】日常の食生活に於いて、主食である米穀類の炊き方が話題にされ、炊飯器等も盛んに改良されている昨今、この炊飯時氷代用具は消費者のニーズに合った活気的なもので、各家庭に普及することによって社会に貢献し又、製造業等の産業にも貢献するものである。
【図面の簡単な説明】
【０００８】
【図１】  炊飯時氷代用具を例えば球形にした場合の平面図である。
【図２】  炊飯時氷代用具を例えば球形にした場合の断面図である。
【符号の説明】
【０００９】  １    内部空洞部
２    外壁部
３    水溶液又は、保冷材等
【図１】
2006149355.tif 000003
【図２】
2006149355.tif 000004
(57)【要約】【課題】笛口付き飛行ゴム風船に、該笛口付き飛行ゴム風船の形状を変更する事無く、容易に吹流し状装飾物を装着し、共に飛行せしめて、笛口付き飛行ゴム風船の持つ音響的娯楽性に視覚的娯楽性を付加する。【解決手段】吹流し状装飾物の一部に筒部を設け、この筒部に笛口付き飛行ゴム風船の笛口部の外径より小なるゴムリング又は開閉機能付き樹脂製リング又は締め付け可能な紐を通して、笛口付き飛行ゴム風船の笛口部上部の任意の位置に装着する。【選択図】図１
2006149636.tif 000002
【特許請求の範囲】
【請求項１】
笛口付き飛行ゴム風船に取り付ける、紙あるいは紐あるいはフィルム等で作られた吹流し状装飾物において、該吹流し状装飾物の一部に、ゴムリングや紐、或は開閉機能を持つ樹脂製リングを通す為の筒部を有し、この筒部に通したゴムリングの収縮力や紐或は開閉機能を持つ樹脂製リング等による締め付けにより、該吹流し状装飾物筒部を笛口付き飛行ゴム風船の笛口部より上部任意の位置に装着できる事を特徴とする笛口付き飛行ゴム風船用吹流し状装飾物。
【発明の詳細な説明】
【技術分野】
【０００１】
本発明は、笛口付き飛行ゴム風船に取り付ける吹流し状装飾物に関するものである。
【背景技術】
【０００２】
笛口付き飛行ゴム風船は大音を発しながら風船が飛行する事により、風船の娯楽性を音響的に高めた物であり、広く実用されている。
【特許文献１】無し
【非特許文献１】無し
【発明の開示】
【発明が解決しようとする課題】
【０００３】
解決しようとする問題点は、笛口付き飛行ゴム風船の持つ音響的娯楽性に、視覚的娯楽性を付加しようとするものである。
【０００４】
しかし、ゴム風船本体の材質は粘着剤や接着剤の直接使用に適さず、これら溶剤の凝固作用により破裂しやすい為、装飾物の取り付けは困難である。
【０００５】
また、専用の取り付け部品の製造には、相応の費用が掛かる為、笛口付き飛行ゴム風船用装飾物が普及する上での障害となっている。
【課題を解決するための手段】
【０００６】
本発明は、笛口付き飛行ゴム風船に、紙あるいは紐あるいはフィルム等で作られた吹流し状の装飾物を取り付けて飛行させる事により、笛口付き飛行ゴム風船の音響的効果に加えて視覚的娯楽性をも高める事が出来る。また、笛口付き飛行ゴム風船本体に、粘着剤や接着剤を使用、或は専用に形成された付属品等を取り付けたりする事無く、吹流し状装飾物を容易に取り付けられる事を特徴とする。
【発明の効果】
【０００７】
本発明の笛口付き飛行ゴム風船用吹流し状装飾物は、大音を発して飛行する笛口付き飛行ゴム風船に付随して吹流し状装飾物が気流に流されて様々に揺らめく事で、視覚的娯楽性を高める事が出来る。
【０００８】
本発明の笛口付き飛行ゴム風船用吹流し状装飾物は、笛口付き飛行ゴム風船自体を改造する事無く、吹流し状装飾物の形態を改善させるので、実用されている笛口付き飛行ゴム風船に対して、広く利用出来る利点がある。
【発明を実施するための最良の形態】
【０００９】
吹流し状装飾物の上部に、ゴムリングや紐、或は開閉機能を持つ樹脂製リングを通す為の筒部を作り、この筒部に通したゴムリングの収縮力や紐或は開閉機能を持つ樹脂製リングによるによる締め付けにより、飛行ゴム風船の笛口部分に該吹流し状装飾物上部が引っ掛る状態にし、笛口付き飛行ゴム風船と共に飛行せしめる。
【実施例１】
【００１０】
図１は、笛口付き飛行ゴム風船に吹流し状装飾物を取り付けた実施例である。
【００１１】
図２は図１実施例の取り付け部分詳細図である。斜線部ゴム風船本体の空気注入口に、ゴム風船の収縮力を利用してa笛口を取り付けたものが実用の笛口付き飛行ゴム風船である。該飛行ゴム風船に、b吹流し状装飾物を取り付ける。b吹流し状装飾物は、d筒部を有し、このd筒部内にa笛口部の外径より小なるcゴムリング又は開閉機能付き樹脂製リング或は締め付け可能な紐を通し、a笛口部より上部の任意の位置に装着する。
【図面の簡単な説明】
【００１２】
【図１】笛口付き飛行ゴム風船に吹流し状装飾物を取り付けた実施方法を示した説明図である。（実施例１）
【図２】笛口付き飛行ゴム風船に吹流し状装飾物を取り付けた実施方法を示した説明図である。
【符号の説明】
【００１３】
a    笛口部
b    吹流し状装飾物
c    ゴムリング又は開閉機能付き樹脂製リング又は紐
d    吹流し状装飾物筒部
【図１】
2006149636.tif 000003
【図２】
2006149636.tif 000004
(57)【要約】【課題】従来から、サンダル用簡易ストラップとして、ヒール部に固定あるいは底面に固定して使用するものがある。しかし、従来のようなストラップでは、高いヒールのあるサンダル、或いは限定されたサンダルでしか使用できず、高いヒールの無いサンダルやスリッパで使用した場合に、ストラップを固定できない。多種のサンダル及びスリッパには簡易にストラップを取り付けできない不具合を解決すること。【解決手段】この課題を解決するための本発明は、ストラップ基部にクリップを設けたことを主要な特徴とする、簡易ストラップである。ストラップ取り付けをクリップとした事により、サンダルの形状を選ばずに取り付け取り外しができる。ストラップ基部にクリップ設けた事により、この問題を解決する。【選択図】図１
2006149691.tif 000002
【特許請求の範囲】
【請求項１】
サンダルストラップ基部に取り付けるクリップを設けたことを特徴とする簡易ストラップ。
【発明の詳細な説明】
【技術分野】
【０００１】
本発明は、サンダル及びスリッパのストラップに関するものであり、ストラップ基部に工夫を加える事によって、取り付け取り外しが簡単に出来るようにしたものである。
【背景技術】
【０００２】
従来から、サンダル用簡易ストラップとして、ヒール部に固定あるいは底面に固定して使用するものがある。この例として特許文献１や特許文献２に開示されているものがある。
【特許文献１】特開２００３−９９０９号公報
【特許文献２】特開２００４−７３７９１号公報
【発明の開示】
【発明が解決しようとする課題】
【０００３】
しかし、従来のようなストラップでは、高いヒールのあるサンダル、或いは限定されたサンダルでしか使用できず、高いヒールの無いサンダルやスリッパで使用した場合に、ストラップを固定できない。本発明は、限定されたサンダル以外と高いヒールの無いサンダル及びスリッパにはストラップを取り付けできない不具合を解決することを課題とする。
【課題を解決するための手段】
【０００４】
この課題を解決するための本発明は、ストラップ基部にクリップを設けたことを主要な特徴とする、簡易ストラップである。ストラップ取り付けをクリップとした事により、サンダルの形状を選ばずに取り付け取り外しができる。
【発明の効果】
【０００５】
本発明により、サンダル形状を選ばずストラップを適宜取り付けられ、スリッパにも取り付けられるという利点がある。
【０００６】
サンダルを履いている時に、車を運転する事態が生じた場合でも、サンダルを足に固定して安全に運転出来る効果がある。
【発明を実施するための最良の形態】
【０００７】
ストラップの材質は、皮及び合成繊維など通常ベルトとして使用するものでよい。また、クリップの材質はプラスチック或いは金属でもよい。
【０００８】
ストラップをサンダルなどの履物に取り付ける際に、足にあたる面は突起物の無いようにしなくては使用時に不具合が生じる。
【実施例１】
【０００９】
図１は、本発明の１実施例の側面図である。
【００１０】
３および４にベルト調整具他取り付けてある。本発明の主体はストラップをクリップ留めした事にあるので、調整具他の説明は省略する。
【産業上の利用可能性】
【００１１】
本発明に係るストラップは、工業的に量産する事が可能である為、産業上の利用可能性を有する。
【００１２】
本発明のカラーバリエーションを多くする事により、履用者のファッション性も広がる。
【図面の簡単な説明】
【００１３】
【図１】本発明の実施方法を示した左側面図である。
【図２】本発明の実施方法を示した右側面図である。
【図３】簡易ストラップの実施方法を示した斜視図である。（右足と左足は対称である）
【符号の説明】
【００１４】
１  左ストラップ留めクリップ
２  右ストラップ留めクリップ
３  フロントストラップベルト
４  バックストラップベルト
５  フロントストラップ長さ調整具
６  バックストラップ長さ調整具
７  フロントストラップ簡易バックル
８  バックストラップ簡易バックル
９  サンダル
【図１】
2006149691.tif 000003
【図２】
2006149691.tif 000004
【図３】
2006149691.tif 000005
(57)【要約】【課題】子供用二段ベッドの上段への上り下り用に使用されるはしご階段であって、両側板１に他部材からなる手摺を付設することなく、側板１を利用して手摺部５を形成して、上り下り時に邪魔にならずしかも掴み易い手摺つきはしご階段を提供する。【解決手段】両側版１と複数の足踏み板２からなるはしご階段において、両側版１の少なくとも片方の側板１の前辺面１ａ寄り部に、該前辺面１ａと平行な単または複数の開口４を形成し、この開口４と前辺面１ａとの間を手摺部５となした。【選択図】図２
2006149642.tif 000002
【特許請求の範囲】
【請求項１】
両側板間に複数の足踏み板を設けてなるはしご階段であって、少なくとも片方の側板には側板長手方向に連続または所定間隔をおいて開口を形成し、この開口と側板前辺との間を手摺部となしたはしご階段。
【請求項２】
側板の上端部にフック型の金具を取付けて、この金具を子供用二段ベッドの上段柵に掛け止めすることを特徴とする請求項１記載のはしご階段。
【請求項３】
手摺部を、小学入学時程度の児童胸前高さより上位に形成するとともに、その太さを児童が十分に握れる太さに設定したことを特徴とする請求項１または請求項２記載のはしご階段。
【発明の詳細な説明】
【技術分野】
【０００１】
本発明は、所定の高低差を有する部位間に用いるはしご階段に関するものである。
【背景技術】
【０００２】
屋内において高低差のある場所に随時移動させて使用する簡易タイプのはしご階段であって、特許文献１に示されるように主として子供用の二段ベッドの上段への上り下り用に設けられるはしご階段である。
【特許文献１】実開平７-３６８０３号公報
【発明の開示】
【発明が解決しようとする課題】
【０００３】
はしご階段、殊に特許文献１の二段ベッドに付設されるはしご階段においては、一般的に両側板に手摺を備えておらず、ベッドへの上り下り時には側板の前辺部を掴んで手摺代わりに利用していた。この場合板材そのものを掴むだけで握り込めないことから滑り易く、上り下り時に落下の危険も残されていた。
【０００４】
この状況を改善するには、側板の前辺面にパイプ状の手摺を取付けることが考えられるが側板の幅狭い板厚部分に一定強度、太さのものを安定状態に取付けるのは困難であった。またパイプ状手摺の取付け端部にコ字状金具を溶着し、この金具を側板にビス止めする方法も考えられるが、構造複雑で金具が露出して手足、衣服を引っ掛ける危険もある。何れにせよコスト高でデザイン的にも違和感が残されていた。
【０００５】
本願発明は、このような現状を改善することを課題とするものである。
【課題を解決するための手段】
【０００６】
請求項１の発明に係るはしご階段は、両側板間に複数の足踏み板を設けて成るはしご階段であって、少なくとも片方の側板には側板長手方向に連続または所定間隔をおいて開口を形成し、この開口部分に相当する側板前辺部を手摺部となしたものである。
【０００７】
請求項２の発明は、請求項１のはしご階段の上端部に取付けた金具を二段ベッドの上段に係止したものである。
【０００８】
請求項３の発明に係るはしご階段は、手摺部を児童の胸前高さより上位に設定すると共にその太さを児童が握れる程度と成したものである。
。
【発明の効果】
【０００９】
本発明のはしご階段は、側板に開口加工にて形成される手摺部をしっかり握って使用することが出来るため、滑りによって掴み損なうことなく安全に上り下り出来る。また手摺部はパイプ状の別体物ではなく側板前辺をそのままの形で残した構造であるから、使用に際しては握り手を側板に沿わせて動かすだけでよく、使い易く安全である。またデザイン的にもパイプ等の違和感がなく、かつ低コストで実現できる。
【００１０】
請求項２及び請求項３の場合、子供用二段ベッドに適用して手摺部の高さ、太さを所定値に設定することで児童のベッドへの上り下り使用時に更に安全性を強調できる。
【発明を実施するための最良の形態】
【００１１】
次に、本願発明の実施形態を図面に基づいて説明する。
【００１２】
本願発明のはしご階段Ａは、左右一対で縦長の側板１と、両側版間に所定間隔をおいて固定される複数の足踏み板２とを主構成部材とし、側板１の上端部には取付け金具３を任意に取付けて構成される。
【００１３】
側板１には開口４，４を形成して側板前辺面１ａとの間に手摺部５を形成しており、開口４は側板前辺面１ａに近い位置に設定して、手摺部５を児童の掌でも握り易い太さと成るように設定している。実施例では側板の板厚２２ｍｍの場合手摺部５の奥行き寸法３０〜４０ｍｍである。
【００１４】
また、両開口４，４は前辺面１ａと平行に形成され手摺部５を直線棒状となしており、両開口４，４間に間隔は児童が上位または下位の手摺部５に無理なく手を伸ばし易い寸法としている。実施例では約８０ｍｍである。
【００１５】
上記のような開口４、手摺部５の構成としたことによって、児童がはしご階段Ａを利用する場合に、側板１の前辺面１ａに沿って手を滑らしながら手摺部５を簡単かつ確実に握ることができ安全な上り下りが可能となる。
【００１６】
第２の実施例は、第３図に示すように側板１に形成される上位開口４を下位開口４の２倍となして、危険度の高い上位において手摺部５から手を離さないで上り下りできる。加えてこの上位開口４はその上端を側板１の上端円弧状部１ｂ近くまで到らせて、手摺部５の延長としての上部手摺部５ｂを形成して、ベッドとはしご階段の乗り移り時に手摺部５、５ａから手を離さないように配慮をしている。
【００１７】
また、この第２実施例では下位の開口４即ち手摺部５の高さを、小学入学児童の概ね胸先高さより上位に設定しており、実施例では床上８００〜１０００ｍｍとしている。更に手摺部５高さに応じて側板１自体の幅寸法を下半の手摺無し部分では約半分となして材料カット効果、デザイン効果を出している。この場合第３図中一点鎖線で示すように１枚の原板から２枚の側板１を対称型で切り出すことが出来、更なる材料節約効果がある。
【００１８】
次に第３実施例として（図示省略）、左右の側板１の開口４形成位置即ち手摺部５を互いに高さ方向にずらせて形成すれば、手を手摺部５に沿って掴んで使用する場合にも左右の何れか片方は常に手摺部５を掴んでおり、使用時の安心感が得られる。また、開口４の口縁は図示のような直線以外に波状線となして滑りを防止して掴み易くなすと共に、デザイン性を与えても良い
【００１９】
以上の実施例は、本願発明のはしご階段の児童用二段ベッドへの適用例であるが、本願発明はこれに限らず屋内のあらゆる場所の上り下り箇所へ適用できることは無論である。
【図面の簡単な説明】
【００２０】
【図１】第１実施例としてのベッド家具への適用例を示す斜視図である。
【図２】はしご階段の側面図である。
【図３】第２実施例の側面図である。
【符号の説明】
【００２１】
Ａ    はしご階段
１    側板
１ａ  前辺面
１ｂ  弧状部
２    足踏み板
３    取付け金具
４    開口
５    手摺部
５ｂ  上部手摺部
【図１】
2006149642.tif 000003
【図２】
2006149642.tif 000004
【図３】
2006149642.tif 000005
(57)【要約】【課題】子供用ベッドの保護柵Ｃを利用して着脱自在に取付けられる棚Ａであって、柵Ｃの外側に連係手段Ｂを介して取付けるに当たって、棚Ａの前方開放部分を外向きにして取り付けたり、又はベッド方向内向きに取り付けたりと、任意選択的に棚の取付け方向を変更可能となすことを課題とする。【解決手段】棚Ａの前縁部または後縁部に連結部としての取付け孔４を形成し、棚Ａを保護柵Ｃに取付けるための連係手段Ｂを、上記前縁部または後縁部の取付け孔４に選択的に連結可能と成した。【選択図】図２
2006149641.tif 000002
【特許請求の範囲】
【請求項１】
少なくとも前方及び上方を開放した棚と、ベッドに取付けた保護柵と、棚と柵を連結する連係手段とからなる棚取付け構造において、少なくとも棚の前縁部および後縁部に、前記連係手段と結合可能な連結部を有することを特徴とする棚装置。
【請求項２】
連結部を、棚側板の前縁部と後縁部に設けた請求項１記載の棚装置。
【請求項３】
連係手段を棚の前縁部の連結部に結合して、棚をベッドに内向き取付ける条件下で、柵はその一部に棚の前面開放部分に連通する空間を有することを特徴とする請求項１または請求項２記載の棚装置。
【発明の詳細な説明】
【技術分野】
【０００１】
本発明は、ベッド用棚装置に係り、更に詳しくは二段ベッド等の子供用ベッドにオプションとして取付けることができるベッド用棚装置に関する。
【背景技術】
【０００２】
従来、二段ベッド等の子供用ベッドには、転落防止のために周囲に保護柵が設けられているが、この保護柵を利用して小物類を収納する棚を取り付ける場合には、棚を柵の内側に取付ければベッド内に突出することとなり、就寝、布団の出し入れ時に邪魔となる場合もあり、一般には特許文献１に示すように柵の外側に取付けている。
【特許文献１】特開平９-２９４６５２
【発明の開示】
【発明が解決しようとする課題】
【０００３】
この特許文献１では保護柵を利用して前面開放型の棚を外向き開放に取付けており、この取付け例によれば書籍、時計等の小物を載せた棚をベッド柵の利用によって簡単、有用に活用できる。
【０００４】
但し、この取付け例ではベッド上の子供が棚内の収納物を確認したり、出し入れ動作するには保護柵及び棚の背板が障壁となって確認、出し入れ動作が困難であり、殊に二段棚の場合、下棚の収納物の確認、出し入れはより一層困難であるという問題も残されている。
【０００５】
本願発明は、このような現状を改善することを課題とするものである。
【課題を解決するための手段】
【０００６】
請求項１の発明に係る棚装置は  少なくとも前方及び上方を開放した棚と、ベッドに設けた保護柵と、棚と柵を連結する連係手段とからなる棚取付け構造において、少なくとも棚の前縁部および後縁部に、前記連係手段と結合可能な連結部を有するものである。
【０００７】
請求項２の発明に係る棚装置は、棚側板の前縁部と後縁部に、連係手段と結合可能な連結部を設定した。
【０００８】
請求項３の発明に係る棚装置は、連係手段を棚の前縁部の連結部に結合して、棚をベッドに内向きに取付ける場合には、柵に形成した空間を棚の前面開放部分に臨ませるように設定する。
【発明の効果】
【０００９】
本発明の棚装置は、棚の前縁部と後縁部に設けた連結部を、選択的に連係手段と連結することで、棚をその前方開放部を外向きににして柵に取り付けたり、またはベッド側内向けに取り付けたりと任意に選択できる利便性がある。
【００１０】
請求項２の棚装置は、前記連結部を棚側板に形成したので、形成作業が容易で、連係手段との連結作業も簡単に行える。
【００１１】
次いで、棚を柵に内向きに取付ける請求項３の場合は、ベッドの保護柵に形成される空間を棚の前方開放部分に臨ませて、この空間を通して棚上の収納物の確認、出し入れ動作出来る利便がある。
【発明を実施するための最良の形態】
【００１２】
次に、本願発明の実施形態を図面に基づいて説明する。
【００１３】
本願発明の棚装置は、棚Ａ、連係手段Ｂとベッドに設けた保護柵Ｃの組み合わせ連結構造から成る。
【００１４】
棚Ａは、棚板１側板２背板３の連結により前面開放型となしており、側板２の前縁部と後縁部には連結部としての取付け孔４が上下方向に複数個形成されている。また図中５は仕切り板、６は中棚板である。
【００１５】
連係手段Ｂの一例としての金具７は、上端に掛け片８を形成し、側片９には上記取付け孔４、４と等間隔で孔１０が形成され、この孔１０を通じてビス１１で側板２に取り付けられている。  
【００１６】
保護柵Ｃは、二段ベッドの周囲に設けられ上、中、下の柵板１２ａ、ｂ、ｃの間に空間１３ａ、ｂを形成している。
【００１７】
柵Ｃへの棚Ａの取付けは、金具７取付け状態の棚Ａを持ち上げて、上端の掛け片８を柵板１２ａ又は１２ｂの上辺に掛支させるだけで簡単に取り付けできる。第１図の実施例では金具７を、側板２の後縁部の取付け孔４に連結して棚Ａの前方開放部分を外向きとなした取付け例であり、棚内の収納物をベッド外から自由に出し入れして利用できる。
【００１８】
一方、第２図に示す取り付け状態では、棚Ａはベッド方向に内向きとなり、前方開放部分が柵Ｃの空間１３ａまたは１３ｂと臨み合って連通しており、この状態でベッド上から棚板１上の収納物Ｄが空間１３を通して確認または出し入れできる。
【００１９】
尚、この棚取付け状態で金具７の取付け孔４・・に対する取付け高さを変更することで、柵板１２ｂ、１２ｃを、内向き状態に棚板１の任意の高さに位置させて、棚板上の収納物の落下防止バーとして機能させることが出来る。
【００２０】
その他実施例として、棚Ａは側板２を片方のみとして前方、上方、側方を開放した棚となしてもよく、更には側板無しで背板４と棚板１の棚Ａ構造としても本発明を適用できる。即ち、取付け孔４は棚板１の下面の少なくとも前、後縁部に設定すればよく、また後縁部の取付け孔４は背板４に設定することも可能である。
【００２１】
次に連係手段Ｂは前記の金具７の形状に限らず、Ｌ型となして、その底辺を棚板１の底面にネジ止め等によって取付けるものでもよい。第２図中１４は棚Ａの下部に任意に形成される膨らみであり金具７にて棚をベッドＣに係止した状態で棚板１の傾斜を防止するものである。
【図面の簡単な説明】
【００２２】
【図１】本発明棚装置の取付け例を示す斜視図である。
【図２】棚を内向きに取り付けた状態の縦断面図である。
【図３】連係手段としての金具７の一例を示す斜視図である。
【符号の説明】
【００２３】
Ａ    棚          Ｂ    連係手段        Ｃ    保護柵
１    棚板        ２    側板            ３    背板        ４    取付け孔
５    仕切り板    ６    中棚板          ７    金具        ８    掛け片
９    側片        １０  孔              １１  ビス        １２  柵板
１３  空間        １４  膨らみ
【図１】
2006149641.tif 000003
【図２】
2006149641.tif 000004
【図３】
2006149641.tif 000005